(57)【特許請求の範囲】
【請求項１】
ＩＣカード自体の形態を折曲又は展開させることにより、前記ＩＣカード中に一体埋装したループアンテナに作用せしめ、前記ループアンテナに発生する誘起電圧を動作電圧以下の仮死電圧に低下させ、前記形態の折曲又は展開が解除されるまで動作不能とする、
ことを特徴とする通信機能付ＩＣカード仮死方法。
【請求項２】
前記仮死電圧は、
誘起電圧が２．１Ｖ以下である、
ことを特徴とする請求項１に記載の通信機能付ＩＣカード仮死方法。
【請求項３】
前記ループアンテナは、
折曲時、磁束面積が１７cm2以下である、
ことを特徴とする請求項１又は２に記載の通信機能付ＩＣカード仮死方法。
【請求項４】
前記ＩＣカード自体の折曲は、
ループアンテナが埋装された通信機能付ＩＣカードの場合、二つ折であり、又は、捩れループアンテナが埋装された通信機能付ＩＣカードの場合、二つ折若しくは三つ折である、
ことを特徴とする請求項１、２又は３に記載の通信機能付ＩＣカード仮死方法。
【請求項５】
ＩＣカード周縁内側に沿って配置したループアンテナと、
外部との送受信を行うインタフェースと、
所定のデータを記憶する記憶部と、
これ等の動作を制御する制御部と、
前記ループアンテナと前記インタフェース、前記インタフェースと前記制御部、及び、前記制御部と前記記憶部を結線する配線と、
の構成要素を備える回路を一体埋装されたＩＣカード自体を前記ループアンテナともども折線に沿って折曲又は展開自在に形成する、
ことを特徴とする通信機能付ＩＣカード。
【請求項６】
前記ループアンテナは、
一対角辺を不連続とし前記折線上に沿って中間仕切アンテナ部を渡設する、
ことを特徴とする請求項５に記載の通信機能付ＩＣカード。
【請求項７】
前記折線は、
前記インタフェースと前記制御部と前記記憶部とを避けて、前記配線と前記ループアンテナのみを通過する分割線である、
ことを特徴とする請求項５又は６に記載の通信機能付ＩＣカード。
【請求項８】
ＩＣカードに１箇所以上交差して描設した捩れループアンテナと、
外部との送受信を行うインタフェースと、
所定のデータを記憶する記憶部と、
これ等の動作を制御する制御部と、
前記捩れループアンテナと前記インタフェース、前記インタフェースと前記制御部、及び、前記制御部と前記記憶部を結線する配線と、
の構成要素を備える回路を一体埋設されたＩＣカード自体を、前記インタフェースと前記記憶部と前記制御部とを避けて、前記配線と前記捩れループアンテナの交差点のみを通過する分割線である折線に沿って折曲又は展開自在に形成する、
ことを特徴とする通信機能付ＩＣカード。
【発明の詳細な説明】
【０００１】
【発明の属する技術分野】
本発明はＩＣカード、特に非接触型通信機能付ＩＣカード及びその仮死方法に関する。
【０００２】
【従来の技術】
従来よりＩＣカードは、様々な用途に使用されている。特に従来の通信機能付ＩＣカードは、主装置からの電波をキャッチするため、常にアンテナはループ状（常時受信可能状態）になっており、その範囲（主装置からの電波受信可能エリア）内では常に使用することが可能である。
【０００３】
【発明が解決しようとする課題】
以上述べたように、主装置からの電波受信可能エリア内では、所持している通信機能付ＩＣカードが電波を受信し、本人の意思とは無関係に（使用したくない）カードが不本意、不用意に使用されるというデメリットがあった。
【０００４】
その対策として、特開平９−２６９９８５号公報、特開平１０−２０１５１７号公報の発明のようにＩＣカードを電磁シールドするケースに包み込むもの、特開平１１−１１５３６号公報の発明のようにＩＣカードを包装する袋を用いるものがあり、利用者の望まない不特定の電磁波によりＩＣカードが誤作動したり、読出し、書き込ませることを防止するため、いずれもＩＣカードの外側を包む物を必要としていた。その為、携帯に不便であるとの問題があった。
【０００５】
ここにおいて、本発明の解決すべき主要の目的は次の通りである。
即ち、本発明の第１の目的は、通信機能はＩＣカード自体の形態を変化させることにより動作不能の仮死状態とし得る通信機能付ＩＣカード及び仮死方法を提供せんとするものである。
【０００６】
本発明の第２の目的は、通信機能付ＩＣカードに組込まれたアンテナの形状の一部を変化させることにより動作可能又は不可能を設定し得る通信機能付ＩＣカード及び仮死方法を提供せんとするものである。
【０００７】
本発明の第３の目的は、通信機能付ＩＣカードのアンテナの形状の一部を変化させることにより誘起電圧を動作電圧以下の仮死電圧に低下させ得る通信機能付ＩＣカード及び仮死方法を提供せんとするものである。
【０００８】
本発明の他の目的は、明細書、図面、特に特許請求の範囲の各請求項の記載から自ずと明らかとなろう。
【０００９】
【課題を解決するための手段】
上記目的を達成するために、本発明方法は、通信機能付ＩＣカード自体の形状を変形させることにより使用可否の変更が可能である手法を講じることを特徴とする。
【００１０】
また、本発明カードは主装置からの信号を受信するため通信機能付ＩＣカードに組込んだループアンテナと、外部との送受信を行うインタフェースと、所定のデータを記憶する記憶部と、これらの動作を制御する制御部と、これらの各部を有機的に接続する配線と、で構成された回路を持ち、前記ＩＣカード自体を前記ループアンテナともども折曲又は展開自在に形成する手段を講じたことを特徴とする。
【００１１】
また、上記構成によれば、通信機能付ＩＣカード自体を変形させることによりアンテナも変形しループを形成あるいはループを解除することから、主装置からの信号の受信可否の選択が可能になることを特徴とする。
【００１２】
また、上記構成によれば、ＩＣカード自体を折曲重合させることにより表面積が減少し、コンパクトとなり持ち運びやすくなる。
【００１３】
更に具体的詳細に述べれば、前記課題の解決は、本発明が次に列挙する上位概念から下位概念に亙る新規な特徴的構成手法又は手段を採用することにより前記目的を達成するように為される。
【００１４】
即ち、本発明方法の第１の特徴は、ＩＣカード自体の形態を折曲又は展開させることにより、前記ＩＣカード中に一体埋装したループアンテナに作用せしめ、前記ループアンテナに発生する誘起電圧を動作電圧以下の仮死電圧に低下させ、前記形態の折曲又は展開が解除されるまで動作不能としてなる通信機能付ＩＣカード仮死方法の構成採用にある。
【００１５】
本発明方法の第２の特徴は、前記本発明方法の第１の特徴における前記仮死電圧が、誘起電圧が２．１Ｖ以下である通信機能付ＩＣカード仮死方法の構成採用にある。
【００１６】
本発明方法の第３の特徴は、本発明方法の第１又は第２の特徴における前記ループアンテナが、折曲時、磁束面積が１７cm2以下である通信機能付ＩＣカード仮死方法の構成採用にある。
【００１７】
本発明方法の第４の特徴は、前記本発明方法の第１、第２又は第３の特徴における前記ＩＣカード自体の折曲が、ループアンテナが埋装された通信機能付ＩＣカードの場合、二つ折であり、又は、捩れループアンテナが埋装された通信機能付ＩＣカードの場合、二つ折若しくは三つ折である通信機能付ＩＣカード仮死方法の構成採用にある。
【００１８】
本発明カードの第１の特徴は、ＩＣカード周縁内側に沿って配置したループアンテナと、外部との送受信を行うインタフェースと、所定のデータを記憶する記憶部と、これ等の動作を制御する制御部と、前記ループアンテナと前記インタフェース、前記インタフェースと前記制御部、及び、前記制御部と前記記憶部を結線する配線と、の構成要素を備える回路を一体埋装されたＩＣカード自体を前記ループアンテナともども折線に沿って折曲又は展開自在に形成してなる通信機能付ＩＣカードの構成採用にある。
【００１９】
本発明カードの第２の特徴は、前記本発明カードの第１の特徴における前記ループアンテナが、一対角辺を不連続とし前記折線上に沿って中間仕切アンテナ部を渡設してなる通信機能付ＩＣカードの構成採用にある。
【００２０】
本発明カードの第３の特徴は、前記本発明カードの第１又は第２の特徴における前記折線が、前記インタフェースと前記制御部と前記記憶部とを避けて、前記配線と前記ループアンテナのみを通過する分割線である通信機能付ＩＣカードの構成採用にある。
【００２１】
本発明カードの第４の特徴は、ＩＣカードに１箇所以上交差して描設した捩れループアンテナと、外部との送受信を行うインタフェースと、所定のデータを記憶する記憶部と、これ等の動作を制御する制御部と、前記捩れループアンテナと前記インタフェース、前記インタフェースと前記制御部、及び、前記制御部と前記記憶部を結線する配線と、の構成要素を備える回路を一体埋設されたＩＣカード自体を、前記インタフェースと前記記憶部と前記制御部とを避けて、前記配線と前記捩れループアンテナの交差点のみを通過する分割線である折線に沿って折曲又は展開自在に形成してなる通信機能付ＩＣカードの構成採用にある。
【００２２】
【発明の実施の形態】
本発明の実施の形態を図面を参照してカード例及び方法例につき詳説する。
（カード例１）
図1は本カード例１の概念を説明する図であって、Ａは本カード例の通信機能付ＩＣカードである。図１において通信機能付ＩＣカード自体は変形（折る）させることができ、その機能により使用可否を選択することができる。
【００２３】
図２は図１に示したＩＣカードＡの使用システムであって、１ａは主装置αからの信号を受信するため通信機能付ＩＣカードＡ周縁内側に沿ってループ状に配置して一体埋設し、かつ主装置αのカードＲ／Ｗ（リード／ライト）共振周波数に対して同調するループアンテナである。
【００２４】
２は外部との送受信を行うインタフェースであり、３は所定のデータを記憶する記憶部であり、４はこれらの動作を制御する制御部、５ａ〜５ｃはこれらを有機的に接続するそれぞれ配線である。
以上の要素で構成された回路を持つことを特徴とする通信機能付ＩＣカードＡである。
【００２５】
（方法例１）
本カード例１に適用する本実施形態例の方法例１を図面につき説明する。
図３は図２に示したＩＣカードＡと方法説明であって、通信機能付ＩＣカードＡ自体を溝等の折線６ａに沿って二つ折に折曲変形させることにより、ループアンテナ１ａがループを形成できなくなり、電波が受信できなくなることにより、通信機能付ＩＣカードＡが使用できなくなる。また、初期状態（展開状態）に戻すことにより、ループアンテナ１ａは再びループを形成し、使用可能となる。
【００２６】
（カード例２）
図４左側は本カード例２の通信機能付ＩＣカードＢであって、同図中ループアンテナ１ｂは、一対角辺（図中左上隅と右下隅）１ｂ′を不連続とし折線６ｂ上に沿って中間仕切りアンテナ１ｂ″を渡設する以外、前記カード例１と同一構成を示し、同一素子は同一符号を付した。
【００２７】
（方法例２）
本カード例２に適用する本実施形態例の方法例２を図面につき説明する。
図４右側は本方法例の説明図であって、ここでは通信機能付ＩＣカードＢは初期状態（展開状態）では一対角辺１ｂ′が不連続なのでループを形成できず電波を受信できなくなる。
【００２８】
一対角辺１ｂ′を万が一連続形成したとしてもループアンテナ１ｂの２つの左右ループ部が逆巻きに形成されており初期状態（展開状態）では、誘起される電流が相殺し合い、電波を受信することができない。そこで、いずれの場合も、通信機能付ＩＣカードＢ自体を折線６ｂに沿って二つ折に折曲変形させることにより、ループアンテナ１ｂが初めて一箇の重合ループを形成し、電波が受信できるようになる。つまり、通信機能付ＩＣカードＢが使用可能となる。
【００２９】
（カード例３）
図５は本カード例３の通信機能付ＩＣカードＣ〜Ｇであって、ＩＣカードＣ〜Ｇに１箇所以上交差して描設した捩れループアンテナＬ１〜Ｌ５を示し、（ａ）（ｂ）（ｅ）は左右対称又は上下対称の場合を、かつ（ｃ）（ｄ）は左右非対称の場合であり、（ｅ）は二箇所交差した場合である。
【００３０】
折線Ｍ１〜Ｍ５″はループアンテナＬ１〜Ｌ５に対し常に交差点Ｌ１′〜Ｌ５″のみと配線５ｂ又は５ｃ上を交差通過する。
（ｂ）は２枚のカードを折線Ｍ２で連接して折って初めて通常のカードサイズとなって使用可能となる。
（ｅ）は折線Ｍ５′、Ｍ５″を２つ設けて三つ折として使用可能とする。
【００３１】
（方法例３）
本カード例３に適用する本実施形態例の方法例３を図５について説明する。
通信機能付ＩＣカードＣ〜Ｇに１箇所以上交差する捩れループアンテナＬ１〜Ｌ５の折線Ｍ１〜Ｍ５″を中に挟んでループ部が逆巻きに形成されており展開時では、誘起される電流が相殺し合い電波を受信出来ない仮死状態となる。
【００３２】
そこで通信機能付ＩＣカードＣ〜Ｇ自体を折線Ｍ１〜Ｍ５″に沿って折曲変形させることにより相殺は解消し、折曲時ループ部が所要の磁束面積と誘起電圧を確保して規定の動作電圧を印加し得ることを条件に電波が受信できるようになる。
つまり、通信機能付ＩＣカードＣ〜Ｇが使用可能となる。
【００３３】
【実施例】
（第１実施例）
前記カード例１及び方法例１に対応した本発明の第１実施例を以下に図面を参照して説明する。
図６は本実施例の仮死実験説明図、図７は誘起電圧とループ磁束面積との相関特性線図である。
【００３４】
図６を示すようＩＣカードβ内部に通常のループアンテナβ１を形成した場合のループアンテナβ１が供給できる電圧について測定を行った。
まず、ＩＣカードβに組込まれたループアンテナβ１の両端（位置はどこでも可）に電圧計γを接続する。
【００３５】
次いで、共振周波数１３．５６MHzの図２に示す主装置αのカードＲ／Ｗ部α１にＩＣカードβを距離約１cmを置いてかざし、電圧を測定する。
このとき磁束が通り抜けることのできる面積はＭＡＸ約２０cm2で電圧は２．５Ｖであった。ＩＣカードβが安定して動作するには図７中の点線レベルに示す最低電圧２．１Ｖの定格動作電圧が必要である。
【００３６】
次に、ＩＣカードβを半分に折り曲げ、同様に電圧を測定した。
この際、磁束が通り抜けることのできる部分は殆どなく、ループアンテナβ１と折り曲げ重合しているループアンテナβ１のわずかな面積で約１cm2であった。電圧は約０．１Ｖの仮死電圧であった。
【００３７】
図７に示すよう磁束（の通過できる）面積と電圧に比例関係が成立つことから、磁束面積を１７cm2以下になるとＩＣカードβ自身が使用不可の仮死状態となる。このことから磁束面積を１７cm2以下になるようＩＣカードβを折曲変形させることにより、ＩＣカードβを一時的に使用不可の仮死状態にすることが出来る。
【００３８】
（第２実施例）
前記カード例２及び方法例２に対応した本発明の第２実施例を図面を参照して説明する。
図８は本実施例の電圧測定波形図で、（ａ）はＩＣカード自体を二つ折にした場合の動作電圧波形図をかつ（ｂ）は展開した場合の仮死電圧波形図である。
【００３９】
本第２実施例は前記第１実施例と同様共振周波数１３．５６MHzの図２に示す主装置αのカードＲ／Ｗ部α１にＩＣカードを距離約１cmを置いてかざし、電圧を測定する。
同図（ａ）は二つ折した場合、重合磁束面積は３cm2となり、約２．６Ｖの動作電圧を示し、同図（ｂ）は展開した場合、捩れループの逆巻きを形成し、折線を挟んで対向するループ部相互の電圧が打消し合って約０．１〜０．１５Ｖの仮死電圧を示す。
【００４０】
本第１乃至第２実施例の実験結果から、ＩＣカード内部に通常のループアンテナを形成することで折り曲げた場合にはループアンテナのループ磁束面積が１７cm2以下となり、ＩＣカードのチップが動作可能な電圧が生せず、又ＩＣカード内部に捩れループアンテナを形成することでＩＣカードを展開した形状では対向ループ部同志に誘起される電圧が打ち消し合うために、ＩＣカードのチップが動作可能な電圧を生じない、いずれの場合も仮死状態となる。
【００４１】
後者の場合が優先し、前者のループ磁束面積が１７cm2以下に限らず誘起電圧が２．１Ｖ以下であれば仮死状態を免れ得ないこととなる。
【００４２】
なお、前記条件は０．５μmルールプロセスで作成されたＣＭＯＳを採用した場合であり、０．２５μmルールプロセスで作成されたＣＭＯＳでは前述の仮死電圧が１．０Ｖ以下となる。その他のＣＭＯＳの場合についても同様に製造プロセスの違いにより仮死電圧に違いが生じる。
【００４３】
また、前記条件は０．５μmルールプロセスで製造されたＣＭＯＳを採用した場合であり、０．２５μmルールプロセスで製造されたＣＭＯＳでは前述の磁束面積が仮死電圧に比例して小さくなる。その他のＣＭＯＳの場合についても同様に製造プロセスの違いにより磁束面積に違いが生じる。
【００４４】
【発明の効果】
以上説明したように、本発明によれば、通信機能付ＩＣカードを折曲又は展開変形させることにより、通信機能付ＩＣカードの利用可否が選択できる。
また、変形させることにより、通信機能付ＩＣカードの表面積が縮小することから持ち運び時にかさばらなくなる。
また同一方式の通信機能付ＩＣカードを複数枚持っていた場合、使用したくない通信機能付ＩＣカードを仮死状態にして保護することが可能となる。
【図面の簡単な説明】
【図１】本発明の実施形態を示すカード例１の概念を説明する図である。
【図２】同上カード例１の使用システム図である。
【図３】同上カード例１と方法例１を説明する図である。
【図４】同上カード例２と方法例２を説明する図である。
【図５】同上カード例３と方法例３を説明する為、（ａ）〜（ｅ）は捩れループアンテナの各種パターンをそれぞれ示す図である。
【図６】本発明の第１実施例の仮死実験説明図である。
【図７】同上における誘起電圧とループ磁束面積との相関特性線図である。
【図８】同上第２実施例を示し（ａ）はＩＣカードを二つ折にした場合の動作電圧波形図、（ｂ）は展開した場合の仮死電圧波形図である。
【符号の説明】
Ａ〜Ｇ，β…通信機能付ＩＣカード
α…主装置
α１…カードＲ／Ｗ部
γ…電圧計
１ａ〜１ｂ，Ｌ１〜Ｌ５…ループアンテナ
１ｂ′…対角辺
１ｂ″…中間仕切りアンテナ部
５ｂ′，Ｌ１′〜Ｌ５″…交差部位
２…インタフェース
３…記憶部
４…制御部
５ａ〜５ｃ…配線
６ａ〜６ｂ，Ｍ１〜Ｍ５″…折線
【図１】
0003621001.tif 000002
【図２】
0003621001.tif 000003
【図３】
0003621001.tif 000004
【図４】
0003621001.tif 000005
【図５】
0003621001.tif 000006
【図６】
0003621001.tif 000007
【図７】
0003621001.tif 000008
【図８】
0003621001.tif 000009